(57)【要約】【課題】熱負荷を低減する住宅を提供する。【解決手段】本発明の住宅（１）は、床面（１１）がグランドレベル（ＧＬ）下に位置するとともに、天井面（１２）がグランドレベル（ＧＬ）上に位置する半地下室（１０）を備える住宅であって、半地下室（１０）においてグランドレベル（ＧＬ）上に位置する地上部には、開口部（１３）が形成され、開口部（１３）を遮蔽可能な窓部材（１６）と、開口部（１３）を被覆可能な日射遮蔽部材（１７）とを備えている。【選択図】図１
2018053552.tif 000002
【特許請求の範囲】
【請求項１】
床面がグランドレベル下に位置するとともに、天井面がグランドレベル上に位置する半地下室を備える住宅であって、
前記半地下室においてグランドレベル上に位置する地上部には、開口部が形成され、
前記開口部を遮蔽可能な窓部材と、
前記開口部を被覆可能な日射遮蔽部材とを備える、住宅。
【請求項２】
前記半地下室の空気が流入する部屋及び床下部の少なくとも一方をさらに備える、請求項１に記載の住宅。
【請求項３】
前記半地下室の地上部は、一階の内部に位置する、請求項１または２に記載の住宅。
【請求項４】
前記半地下室の地上部は、一階の外側に付設されている、請求項１または２に記載の住宅。
【請求項５】
前記開口部は、前記地上部の少なくとも一壁面に設けられ、
前記半地下室の床面から天井面までの高さに対する前記地上部の高さの比は、１／３以上１／２以下である、請求項１〜４のいずれか１項に記載の住宅。
【請求項６】
前記半地下室は、空気調和機の室外機が配置される空間を有する、請求項１〜５のいずれか１項に記載の住宅。
【発明の詳細な説明】
【技術分野】
【０００１】
本発明は、住宅に関し、より特定的には、床面がグランドレベル下に位置するとともに、天井面がグランドレベル上に位置する半地下室を備える住宅に関する。
【背景技術】
【０００２】
半地下室を備える住宅は、例えば、特開平９−３２３２０号公報（特許文献１）、特開平４−２６６６１号公報（特許文献２）などに開示されている。特許文献１には、半地下室に開口を設け、この開口を通して採光することが可能になることが開示されている。特許文献２には、隣接する温室を介して直射を受け、蓄熱槽として機能させる半地下室が開示されている。
【先行技術文献】
【特許文献】
【０００３】
【特許文献１】特開平９−３２３２０号公報
【特許文献２】特開平４−２６６６１号公報
【発明の概要】
【発明が解決しようとする課題】
【０００４】
しかしながら、上記特許文献１及び２では、半地下室は日射を受けるので、夏期には日射熱が溜まる。このため、年間を通してみると、熱負荷が高いという問題があることを本発明者は初めて明らかにした。
【０００５】
すなわち、本発明は、上記問題点に鑑み、熱負荷を低減する住宅を提供することを課題とする。
【課題を解決するための手段】
【０００６】
本発明者は、年間を通して熱負荷を低減するために鋭意検討した結果、日射熱に加えて、年間通して温度が安定している地下熱を利用することに着目した。そして、半地下室は、天井面がグランドレベル上に位置するので、日射熱を利用できるとともに、床面がグランドレベル下に位置するので、地下熱を利用できることに着想を得て、本発明を完成させた。
【０００７】
すなわち、本発明の住宅は、床面がグランドレベル下に位置するとともに、天井面がグランドレベル上に位置する半地下室を備える住宅であって、半地下室においてグランドレベル上に位置する地上部には開口部が形成され、開口部を遮蔽可能な窓部材と、開口部を被覆可能な日射遮蔽部材とを備えている。
【０００８】
本発明の住宅によれば、半地下室の地上部に設けられた開口部を窓部材により遮蔽が可能であるので、開口部を遮蔽しない状態、すなわち窓部材を開けて外部の空気を半地下室に取り込むことと、開口部を遮蔽する状態、すなわち窓部材を閉めて外部の空気を半地下室に取り込まないこととを選択できる。また、開口部を日射遮蔽部材により被覆が可能であるので、日射を遮蔽しない状態、すなわち日射遮蔽部材で開口部を被覆せずに、半地下室に日射を取り込むことと、日射を遮蔽する状態、すなわち日射遮蔽部材で開口部を被覆して、半地下室に日射を取り込まないこととを選択できる。
【０００９】
このため、冬期には、日射遮蔽部材で開口部を被覆しないことにより、日射熱を取り込むとともに、半地下室の床面からは暖かい地下熱（地下温熱）を利用することができる。夏期には、日射遮蔽部材で開口部を被覆して日射熱を低減するとともに、半地下室の床面から冷たい地下熱（地下冷熱）を利用することができる。そして、必要に応じて、窓部材の開閉することにより、外部の空気を半地下室に取り込むことと、取り込まないこととができる。したがって、本発明の住宅は、熱負荷を低減することができる。
【００１０】
本発明の住宅において好ましくは、半地下室の空気が流入する部屋及び床下部の少なくとも一方をさらに備えている。
【００１１】
冬期には、日射熱及び地下温熱を利用することで暖められた空気を部屋及び床下部の少なくとも一方に流入することにより、暖房の機能を果たす。夏期には、日射熱を遮蔽した状態で地下冷熱を利用することで冷やされた空気を部屋及び床下部の少なくとも一方に流入することにより、冷房の機能を果たす。このため、熱負荷を低減する住宅を実現できる。
【００１２】
本発明の住宅において、半地下室の地上部は、一階の内部に位置してもよい。この場合、グランドレベル上の建物の外郭内に、半地下室を設けることができる。
【００１３】
また、本発明の住宅において、半地下室の地上部は一階の外側に付設されていてもよい。この場合、グランドレベル上の建物の内部が半地下室を含まない住宅となる。
【００１４】
本発明の住宅において好ましくは、開口部は、地上部の少なくとも一壁面に設けられ、半地下室の床面から天井面までの高さに対する地上部の高さの比は、１／３以上１／２以下である。
【００１５】
上記比が１／３以上であると、有効に日射熱を利用でき、上記比が１／２以下であると、有効に地中熱を利用できる。
【００１６】
本発明の住宅において、半地下室は、空気調和機の室外機が配置される空間を有していてもよい。
【００１７】
冬期には、日射遮蔽部材で開口部を被覆しないことにより、日射熱を取り込むとともに、半地下室の壁面からは地下温熱を取り込むことができる。このため、半地下室の温度は外気よりも高くなるので、室外機は、外気よりも温かい空気を取り込むことができる。夏期には、日射遮蔽部材で開口部を被覆することにより、日射熱を遮蔽するとともに、半地下室の床面から地下冷熱を取り込むことができる。このため、半地下室の温度は、外気よりも低くなるので、室外機は、外気よりも冷たい空気を取り込むことができる。そして、冬期及び夏期に、窓部材を開けることにより、半地下室内に空気が滞留することを防止できる。したがって、空気調和機のＣＯＰ（Coefficient Of Performance：成績係数）を向上できるので、熱負荷を低減することができる。
【発明の効果】
【００１８】
以上より、本発明の住宅によれば、熱負荷を低減することができる。
【図面の簡単な説明】
【００１９】
【図１】本発明の実施の形態１における住宅の模式図である。
【図２】本発明の実施の形態２における住宅の模式図である。
【図３】本発明の実施の形態２の変形例における住宅の模式図である。
【図４】本発明の実施の形態３における住宅の模式図である。
【発明を実施するための形態】
【００２０】
以下、図面に基づいて本発明の実施の形態を説明する。なお、以下の図面において同一または相当する部分には同一の参照符号を付しその説明は繰り返さない。また、図１〜図４において、紙面左を南、紙面右を北として、以下、説明する。
【００２１】
（実施の形態１）
図１を参照して、本発明の一実施形態の住宅について説明する。本発明の実施の形態１における住宅１は、図１に示すように、半地下室１０と、床下部２０と、一階３０と、中二階４０と、二階５０と、ロフト６０とを備えている。床面が低い順に、半地下室１０、床下部２０、一階３０、中二階４０、二階５０、及びロフト６０である。なお、一階３０、中二階４０、二階５０、及びロフト６０とは、それぞれのフロアにおける居住空間をいう。
【００２２】
半地下室１０は、床面１１がグランドレベル（地盤面）ＧＬ下に位置するとともに、天井面１２がグランドレベルＧＬ上に位置している。つまり、半地下室１０は、グランドレベルＧＬ下に位置する地下部と、グランドレベルＧＬ上に位置する地上部とを有している。
【００２３】
半地下室１０の床面１１から天井面１２まで（地上部と地下部との合計）の高さＨ１に対する地上部の高さＨ２の比（Ｈ２／Ｈ１）は、１／３以上１／２以下である。これは、開口部１３が地上部の少なくとも一壁面に設けられているときに有効であり、開口部１３が地上部の一壁面のみに設けられているときでも有効である。なお、半地下室１０は、地上部と地下部とを有していれば、半地下室１０の高さＨ１、及び、地上部の高さＨ２は特に限定されない。
【００２４】
この半地下室１０の北側には、床下部２０が配置されている。床下部２０は、グランドレベルＧＬ下に位置している。床下部２０は、その直上の一階の床面を暖めることと、冷やすこととが可能である。また、一階３０と床下部２０との仕切壁には、ガラリなどの換気部材が設けられていてもよい。床下部２０と半地下室１０との仕切壁には、半地下室１０の空気が床下部２０に流入するための開口部２１が形成されている。
【００２５】
この床下部２０直上で、かつグランドレベルＧＬ上に、一階３０が配置されている。本実施の形態の半地下室１０の地上部は、一階３０の内部（居住空間）に位置している。つまり、半地下室１０の地上部は、一階３０の一部を占めている。一階３０と半地下室１０との仕切壁には、半地下室１０の空気が一階に流入するための開口部３１が形成されている。
【００２６】
半地下室１０の直上には、中二階４０が配置されている。中二階４０と半地下室１０との仕切壁には、半地下室１０の空気が中二階に流入するための開口部４１が形成されている。
【００２７】
一階３０の直上には、二階５０が配置されている。中二階の直上には、ロフト６０が配置されている。
【００２８】
ここで、半地下室１０の開口部１３、窓部材１６及び日射遮蔽部材１７について説明する。
【００２９】
半地下室１０の地上部には、開口部１３が形成されている。開口部１３は、外気を取り込むことが可能な貫通穴である。開口部１３は、地上部の一部または全部に形成されており、北向き以外の壁面に形成されていることが好ましく、南向きの壁面に形成されていることがより好ましい。本実施の形態では、開口部１３は、地上部を構成する南向きの一壁面の全体に設けられている。
【００３０】
この開口部１３を遮蔽可能な窓部材１６が配置されている。換言すると、窓部材１６は、開閉可能であり、開口部１３を遮断する状態と、遮断しない状態とを選択できる。つまり、窓部材１６は、外部との通気を遮断することと、外部との通気を確保することとができる。窓部材１６は、開口部１３全体を遮蔽できる。
【００３１】
窓部材１６は、開口部１３に取り付けられた窓枠と、この窓枠に嵌入された窓ガラスなどの被覆部材とを含んでいる。窓枠は、例えばサッシなどである。被覆部材は、開口部１３全体を被覆し、日射を取り込むことが可能な材質で構成され、例えば透明ガラスである。窓部材１６は、例えば地窓である。
【００３２】
また、開口部１３を被覆可能な日射遮蔽部材１７が配置されている。換言すると、日射遮蔽部材１７は、開閉可能であり、開口部１３を被覆する状態と、被覆しない状態とを選択できる。つまり、日射遮蔽部材１７は、日射を遮蔽することと、日射を取り込むこととを可能にする。日射遮蔽部材１７は、開口部１３全体を被覆できる。
【００３３】
日射遮蔽部材１７は、日射を遮蔽する材質で構成されている。日射を遮蔽する材質とは、日射を遮ることができればよく、日射遮蔽部材１７で開口部１３を被覆するときに受ける日射熱が日射遮蔽部材１７で開口部を被覆していないときに受ける日射熱よりも少ない材質である。また、日射遮蔽部材１７は空気が通ることが可能な開口部を有しており、日射遮蔽部材１７で開口部１３全体を被覆した状態で窓部材１６を開けると、空気は開口部１３を介して流動できる。
【００３４】
このように、窓部材１６は、開口部１３を遮蔽すると通気を遮断し、日射遮蔽部材１７は、開口部１３を被覆すると日射を遮蔽する。このため、本実施の形態の半地下室１０は、通気を遮断せずに日射を遮蔽する状態と、通気を遮断して日射を遮蔽する状態と、通気を遮断せずに日射を取り込む状態と、通気を遮断して日射を取り込む状態とを選択できる。
【００３５】
日射遮蔽部材１７は、窓部材１６の外側に配置されていてもよく、内側に配置されていてもよいが、本実施の形態では窓部材１６の外側に配置されているので、耐久性の高い材質であることが好ましく、例えば、シャッター、オーニングなどを用いることができる。
【００３６】
日射遮蔽部材１７は、一端縁が固定されるとともに他端縁が開口部１３の上下方向または左右方向に変位可能に構成されている。例えば、図１では、日射遮蔽部材１７は、開口部１３の上端部外側に取り付けられた固定部材１７ａを含み、下端縁が固定部材１７ａから下方に変位可能に構成されている。なお、固定部材１７ａは省略されてもよい。
【００３７】
続いて、本実施の形態の住宅１の効果について説明する。
【００３８】
冬期には、窓部材１６を閉めるとともに、日射遮蔽部材１７で開口部１３全体を被覆しない。窓部材１６を閉めることにより、冷たい外気が半地下室１０内に流入することを防止できる。日射遮蔽部材１７で開口部１３全体を被覆しないことにより、半地下室１０内に日射熱を溜めることが可能である。また、地下熱（地下水熱、地中熱などを含む）は年間を通して温度差が小さいため、冬期には、外気よりも温度が高い。このため、半地下室１０の地下部を構成している側壁部及び床部は地下温熱を受けるため、地下部の壁面は暖められるので、半地下室１０内の空気は暖められる。したがって、冬期には、半地下室１０は、外気よりも高い温度を有する。
【００３９】
半地下室１０の高い温度の空気は、図１の矢印に示すように、床下部２０、一階３０及び中二階４０との仕切壁に形成された開口部２１、３１、４１を介して、床下部２０、一階３０及び中二階４０に流入する。床下部２０に流入された空気は、床暖房の機能を発揮する。このため、空気調和機の暖房に要する熱負荷を低減できる。
【００４０】
夏期には、窓部材１６を開けるとともに、日射遮蔽部材１７で開口部１３全体を被覆する。日射遮蔽部材１７で開口部１３全体を被覆することにより、半地下室１０内に日射熱が溜まることを防止できる。また、地下熱は年間を通して温度差が小さいため、夏期には、外気よりも温度が低い。このため、半地下室１０の地下部を構成している側壁部及び床部は地下冷熱を受けるため、地下部の壁面は冷やされるので、半地下室１０内の空気は冷やされる。さらに、窓部材１６を開けることにより、換気が可能であるので、熱溜まりになることを防止できる。したがって、夏期には、半地下室１０は、外気よりも低い温度を有する。
【００４１】
半地下室１０の低い温度の空気は、床下部２０、一階３０及び中二階４０との仕切壁に形成された開口部２１、３１、４１を介して、床下部２０、一階３０及び中二階４０に流入する。床下部２０に流入した空気は、床冷房の機能を発揮する。このため、空気調和機の冷房に要する熱負荷を低減できる。
【００４２】
このように、上記特許文献１及び２と異なり、本実施の形態の住宅１は、夏期には日射遮蔽部材１７で日射を遮蔽することが可能であるので、半地下室１０に日射熱が溜まることを防止できる。
【００４３】
したがって、本実施の形態の住宅１においては、年間を通して半地下室１０を蓄熱空間または蓄冷空間として利用することで、熱負荷の低減のために用いることができる。
【００４４】
なお、本実施の形態の半地下室１０は、熱負荷を低減するためのみの部屋とし、居室としての使用をしていない。しかし、本発明の半地下室は、居室として使用してもよい。
【００４５】
また、住宅１において半地下室１０の空気が流入する領域は、床下部２０、一階３０及び中二階４０の全てではなく、少なくとも１つの領域であってもよい。また、半地下室１０の空気が流入する領域をさらに増やしてもよい。
【００４６】
また、半地下室１０の空気を取り込む開口部２１、３１、４１には、空気の流入を容易にするために、床面、壁面などにファン（図示せず）が配置されていてもよい。
【００４７】
また、住宅１は、２４時間換気であることが好ましい。この場合、住宅１内は負圧になるので、居住空間に半地下室１０の空気を取り込みやすい。
【００４８】
（実施の形態２）
図２を参照して、本実施の形態の住宅２について説明する。図２に示す実施の形態２の住宅２は、実施の形態１の住宅１と基本的には同様の構成を備えているが、半地下室１０の地上部が一階３０の外側に付設されている点において主に異なっている。本実施の形態の住宅２は、グランドレベルＧＬ上の建物の内部に半地下室１０が含まれない。つまり、居住空間を有する建物の外部に半地下室１０が付設されている。
【００４９】
具体的には、図２に示すように、住宅２は、半地下室１０と、床下部２０と、一階３０と、二階５０とを備えている。床面が低い順に、半地下室１０、床下部２０、一階３０、及び二階５０である。本実施の形態では、中二階４０及びロフト６０は省略されている。
【００５０】
床下部２０の直上には、一階３０が配置されている。床下部２０には、半地下室１０の空気が床下部２０に流入するための開口部２１が形成されている。なお、一階３０には、半地下室１０の空気が床下部２０に流入するための開口部３１は省略されている。
【００５１】
一階３０の直上には、二階５０が配置されている。半地下室１０の空気が二階５０に流入するために、壁部には流路５１が形成されている。流路５１は、半地下室１０と一階３０の仕切り壁及び二階５０の床部を連なる貫通穴である。
【００５２】
本実施の形態では、床下部２０、一階３０及び二階５０の床面積は略同じである。一階３０及び床下部２０の南側に、半地下室１０が配置されている。半地下室１０は、一階３０の壁面と隣接している。このため、住宅２の建築面積は、一階３０の床面積と、半地下室１０の床面積との合計になる。
【００５３】
半地下室１０の天井面１２を構成する外壁上には、屋上７０が設けられている。屋上７０の少なくとも一部は、屋上緑化７１が施されている。屋上７０と二階５０との行き来が可能になるように、屋上と二階５０とを連結する階段７２が設けられている。
【００５４】
なお、半地下室１０の地上部の開口部１３、窓部材１６、及び日射遮蔽部材１７は、実施の形態１と同様であるので、その説明は繰り返さない。
【００５５】
続いて、本実施の形態の住宅２の効果について説明する。
【００５６】
夏期及び冬期の窓部材１６及び日射遮蔽部材１７の使用方法は、実施の形態１と同様である。夏期には、半地下室１０において、日射熱を低減するとともに地下冷熱を利用して、外気よりも低い温度の空気とし、この半地下室１０内の低温の空気は、開口部２１及び流路５１を介して床下部２０及び二階５０に流入する。冬期には、半地下室１０において、日射熱と地下温熱とを利用して、外気よりも高い温度の空気とし、この半地下室１０の高温の空気は、開口部２１及び流路５１を介して床下部２０及び二階５０に流入する。これにより、年間を通して熱負荷を低減できる。
【００５７】
また、本実施の形態では、半地下室１０上に屋上緑化７１が施されているので、夏期には、天井面１２からの日射熱をさらに低減することができる。これにより、熱負荷をより低減できる。
【００５８】
（変形例）
図３を参照して、実施の形態２の変形例の住宅３について説明する。図３に示す変形例３の住宅３は、基本的には実施の形態２の住宅２と同様の構成を備えているが、窓部材１６及び日射遮蔽部材１７が半地下室１０の天井に配置されている点において主に異なっている。
【００５９】
具体的には、半地下室１０には、外気を取り込むための開口部１３が天井面１２を構成する天井壁部に形成されている。この開口部１３に、窓部材１６が取り付けられている。窓部材１６の外側（図３では上側）には、日射遮蔽部材１７が配置されている。
【００６０】
日射遮蔽部材１７は、一端縁が開口部１３の一端に固定され、他端縁が開口部１３の他端に向けて水平方向に変位可能に構成されている。例えば、図３では、日射遮蔽部材１７は、開口部１３の右（北）外側に取り付けられた固定部材１７ａを含み、他端縁が固定部材１７ａから左側（南側）に変位可能に構成されている。
【００６１】
（実施の形態４）
図４を参照して、実施の形態４の住宅について説明する。図４に示す実施の形態４の住宅４は、基本的には実施の形態２の住宅２と同様の構成を備えているが、半地下室１０を空気調和機の室外機６１が配置される空間とする点において主に異なっている。
【００６２】
空気調和機は、ヒートポンプ式である。この空気調和機の室外機６１は半地下室１０に配置され、空気調和機の室内機６２は一階３０に配置されている。室外機６１と室内機６２との配管６３を配置するために、配置空間３２が形成されている。配置空間３２は、半地下室１０、床下部２０及び一階３０の壁部を連なる貫通穴である。
【００６３】
図４では、半地下室１０の空気が床下部２０、一階３０及び二階５０に流入するための開口部を設けていない。つまり、半地下室１０と、各階の部屋及び床下部２０とは、空気の流通が遮断されている。
【００６４】
なお、半地下室１０の地上部の開口部１３、窓部材１６、及び日射遮蔽部材１７は、実施の形態１と同様であるので、その説明は繰り返さない。
【００６５】
続いて、本実施の形態の住宅４の効果について説明する。
【００６６】
冬期には、日射遮蔽部材１７で開口部１３全体を被覆しない。これにより、日射を取り込んで日射熱により半地下室１０の空気を暖めるとともに、地下温熱により半地下室１０内の空気を暖めることができるので、半地下室１０は、外気よりも高い温度を有する。また、室外機６１から排出される冷たい空気を考慮して、窓部材１６を開けて、外気を取り込んで、半地下室１０内の空気を日射熱と地下温熱とで暖める。このため、半地下室１０内に配置された室外機６１は、外気よりも暖かい空気を取り込むことができる。
【００６７】
夏期には、窓部材１６を開けるとともに、日射遮蔽部材１７で開口部１３全体を被覆する。これにより、日射熱を遮蔽するとともに、地下冷熱で半地下室１０内の空気を冷やすことができるので、半地下室１０は、外気よりも低い温度を有する。また、窓部材１６を開けることにより、室外機６１から排出される熱い空気を開口部１３から排出し、室外機６１からの熱ごもりが生じることを防止できる。
【００６８】
このように、夏期及び冬期において窓部材１６を開けて換気をするとともに、冬期は地下熱と日射熱とにより半地下室１０内の温度を外気よりも高くし、夏期は日射遮蔽と地下熱とにより半地下室１０内の温度を外気よりも低くする。したがって、空気調和機のＣＯＰを向上できるので、熱負荷を低減することができる。
【００６９】
以上のように本発明の実施の形態１〜３について説明を行なったが、各実施の形態の特徴を適宜組み合わせることも当初から予定している。例えば、実施の形態３の半地下室は、ヒートポンプ式の空気調和機の室外機を配置するための空間として利用されているが、実施の形態１及び２のように、各階の部屋を暖めるまたは冷やすための空間としての用途をさらに備えていてもよい。
【００７０】
このように、本発明の住宅は、半地下室を利用して熱負荷を低減することができるので、戸建住宅に好適に用いられる。
【実施例】
【００７１】
本実施例では、半地下室１０の床面１１から天井面１２までの高さＨ１に対する地上部の高さＨ２の比（Ｈ２／Ｈ１）の好ましい範囲について検討した。
【００７２】
（条件）
図１に示す住宅１において、半地下室１０として、床面積が８畳（１３ｍ３）、高さＨ１が２．４ｍで、地上部南向きの１壁面に開口部１３を形成する。外気温度は、冬期５℃、夏期３０℃とし、地中熱の温度は冬期１４℃、夏期２０℃とする。
【００７３】
（冬期の検討）
冬期について検討する。窓部材１６を閉めるとともに、日射遮蔽部材１７を開けて、開口部１３全体で日射熱を受けるとする。この場合、日射熱は、窓の面積×日射取得率×日射量の式から、Ｈ２／Ｈ１が１／２のときは１２８６Ｗで、Ｈ２／Ｈ１が１／３のときは８５７Ｗと求めた。次に、地下部の壁面の面積×地下部の壁面の熱還流率×温度差（地下熱温度と半地下室温度との差）＋窓部材から逃げる熱量の式から求められる逃げる熱量と、日射熱とが釣り合うときの半地下室の温度を求めた。その結果、Ｈ２／Ｈ１が１／２のときは２３℃で、Ｈ２／Ｈ１が１／３のときは２０℃であった。
【００７４】
半地下室１０を暖房に寄与するために用いることを考慮すると、半地下室１０の室温が２０℃以上であることが有利である。このため、Ｈ２／Ｈ１が１／３以上であることが好ましいことを本発明者は見出した。
【００７５】
（夏期の検討）
続いて、夏期について検討する。窓部材１６を開けるとともに、日射遮蔽部材１７で開口部１３を被覆する。半地下室１０の温度が冷房に寄与する２８℃以下になるように、地下部の壁面から受ける地下冷熱による熱量と、開口部１３からの日射熱及び換気による熱取得量とを求めた。その結果、Ｈ２／Ｈ１が１／２のときは、９６０Ｗの冷熱で、４０Ｗ程度の熱取得であり、Ｈ２／Ｈ１が１／３のときは、１００５Ｗの冷熱で、３５Ｗ程度の熱取得であり、実現できることを本発明者は見出した。つまり、Ｈ２／Ｈ１が１／２以下の場合に、半地下室１０を冷房に寄与できることがわかった。なお、この場合、地下部の壁面から受ける地下冷熱による熱量は、開口部１３からの日射熱による熱量に比べて、かなり大きいこともわかった。
【００７６】
（検討結果）
以上より、本実施例によれば、半地下室１０の床面１１から天井面１２までの高さＨ１に対する地上部の高さＨ２の比（Ｈ２／Ｈ１）が１／３以上１／２以下であることにより、熱負荷をより低減できることを本発明者は明らかにした。
【００７７】
今回開示された実施の形態及び実施例はすべての点で例示であって制限的なものではないと考えられるべきである。本発明の範囲は上記した実施の形態及び実施例ではなくて特許請求の範囲によって示され、特許請求の範囲と均等の意味及び範囲内でのすべての変更が含まれることが意図される。
【符号の説明】
【００７８】
１，２，３，４  住宅、１０  半地下室、１１  床面、１２  天井面、１３，２１，３１，４１  開口部、１６  窓部材、１７  日射遮蔽部材、１７ａ  固定部材、２０  床下部、３０  一階、３２  配置空間、４０  中二階、５０  二階、５１  流路、６０  ロフト、６１  室外機、６２  室内機、６３  配管、７０  屋上、７１  屋上緑化、７２  階段、ＧＬ  グランドレベル。
【図１】
2018053552.tif 000003
【図２】
2018053552.tif 000004
【図３】
2018053552.tif 000005
【図４】
2018053552.tif 000006